(57)【要約】【課題】      ペアガラスの積載作業を可及的容易になし得るようにしたペアガラス起立積載用パレットを提供する。【解決手段】  パレット基台２上にＬ字２面の載置面３と突当面４を配置し，これらにペアガラス７の２辺を遊嵌して受入れる溝乃至受座部材による遊嵌受入部３２，４２を配置する一方，これら遊嵌受入部３２，４２を横断するようにスライドバー５を介設するとともにこのスライドバー５に遊嵌受入部３２，４２の数と幅を合わせた受入部５２を配置してパレット１を形成する。ペアガラス７をＬ字２面に起立して仮保持した後にスライドバー５を横断方向にスライドさせた上，該スライドバー５をロックすることによってペアガラス７を遊嵌受入部３２，４２と受入部５３の起立片間に圧着挟持して搬送に耐える確実な保持を容易に行うことができる。【選択図】      図１０
2007069916.tif 000002
【特許請求の範囲】
【請求項１】
載置面と突当面のＬ字２面に矩形パネルの隣接する２辺を遊嵌受入自在として面内に多数並列配置した所定幅の遊嵌受入部と，上記載置面と突当面の一方又は双方に上記遊嵌受入部を横断し該横断方向にスライド自在に介設するとともに上記遊嵌受入部に対応した並列数と所定幅の受入部を有するスライドバーとを備え，該スライドバーのスライドによってその受入部の起立壁が上記遊嵌受入部に遊嵌受入した矩形パネルの辺をスライド方向に押圧することにより該遊嵌受入部の幅内片側に対する矩形パネルの圧着挟持を自在としてなることを特徴とする矩形パネル起立積載用パレット。
【請求項２】
上記載置面の遊嵌受入部を，矩形パネルのスライド積載用ガイドを兼ねる溝によって形成してなることを特徴とする請求項１に記載の矩形パネル起立積載用パレット。
【請求項３】
上記突当面の遊嵌受入部を，矩形パネルの起立した辺を保持する該辺の長手方向複数箇所の部分受座によって形成してなることを特徴とする請求項１又は２に記載の矩形パネル起立積載用パレット。
【請求項４】
上記部分受座によって形成した突当面の遊嵌受入部が，上記スライドバーのスライド方向と同一方向に部分受座を傾斜狭小化するように受入傾斜面を備えてなることを特徴とする請求項３に記載の矩形パネル起立積載用パレット。
【請求項５】
上記スライドバーを，そのスライド方向任意位置でロック自在としてなることを特徴とする請求項１，２，３又は４に記載の矩形パネル起立積載用パレット。
【発明の詳細な説明】
【技術分野】
【０００１】
本発明は，ペアガラス，建築用パネル等の矩形パネルを起立積載するに用いる矩形パネル起立積載用パレットに関する。
【背景技術】
【０００２】
この種のパレットとして，例えば載置面と突当面のＬ字２面に矩形パネルの隣接する２辺を受入保持自在として面内に多数並列配置した矩形パネルの辺と同幅又はこれより幅広の保持溝による所定幅の受入保持部と，突当面上端から矩形パネルに被嵌装着したコーナーキャップを経て載置面先端の横架桟に至るように配置したパネル倒れ止め用ロープとを備えて，Ｌ字２面に矩形パネルを起立積載し，該矩形パネルにコーナーキャップを被嵌装着した後に，突当面上端からのロープを上記横架桟に対して結束してその倒れ止め措置を施すようにしたものが知られている。
【０００３】
【特許文献１】特開２００２−１２２８１号公報
【発明の開示】
【発明が解決しようとする課題】
【０００４】
この場合，Ｌ字２面の受入保持部を多数並列配置したことによって同時に多数のペアガラス等の矩形パネルを積載して搬送することができるし，倒れ止め措置によって矩形パネルの揺動を防止し，その破損等のトラブルを確実に解消することができるが，一方で，矩形パネルの積載には，Ｌ字２面に対する各矩形パネルの起立積載と，各矩形パネルに対するコーナーキャップの被嵌装着及びロープ掛けによる各ペアガラス毎の倒れ止め措置を必要とする結果，特にこの倒れ止め措置に時間を要するとともに該倒れ止め措置によって積載作業が煩雑化する傾向があり，また搬送先の建築現場でも，各矩形パネルの倒れ止め措置を解除した上で，矩形パネルの取り出す作業を必要として同様に現場作業も煩雑化する傾向がある。
【０００５】
本発明はかかる事情に鑑みてなされたもので，その解決課題とするところは，同時多数の積載をなし得るように上記Ｌ字２面に対する矩形パネルの起立積載を維持しつつ，可及的簡易に起立積載した矩形パネルを確実に保持してその揺動を防止し得るようにした矩形パネル起立積載用パレットを提供するにある。
【課題を解決するための手段】
【０００６】
上記課題に沿って本発明は，載置面と突当面のＬ字２面に多数並列配置した遊嵌受入部に矩形パネルを遊嵌状に受け入れて仮保持する一方，上記遊嵌受入部を横断するように配置したスライドバーをその横断方向にスライドすることによって，該スライドバーに遊嵌受入部と同様に配置した受入部の起立壁が仮保持した矩形パネルを遊嵌受入部の片側に圧着挟持するようにして，Ｌ字２面に上記仮保持した矩形パネルを確実に保持してその揺動を防止し得るようにしたものであって，即ち請求項１に記載の発明を，載置面と突当面のＬ字２面に矩形パネルの隣接する２辺を遊嵌受入自在として面内に多数並列配置した所定幅の遊嵌受入部と，上記載置面と突当面の一方又は双方に上記遊嵌受入部を横断し該横断方向にスライド自在に介設するとともに上記遊嵌受入部に対応した並列数と所定幅の受入部を有するスライドバーとを備え，該スライドバーのスライドによってその受入部の起立壁が上記遊嵌受入部に遊嵌受入した矩形パネルの辺をスライド方向に押圧することにより該遊嵌受入部の幅内片側に対する矩形パネルの圧着挟持を自在としてなることを特徴とする矩形パネル起立積載用パレットとしたものである。
【０００７】
請求項２に記載の発明は，上記に加えて，載置面の遊嵌受入部が矩形パネルの積載に際してそのスライドの案内をなし得るように，該遊嵌受入部を積載ガイドを兼ねる溝形成のものとし，例えば矩形パネルを載置面から突当面に向けて押圧してスライドすることにより該矩形パネルをＬ字２面に容易且つ確実に積載し得るものとするように，これを，上記載置面の遊嵌受入部を，矩形パネルのスライド積載用ガイドを兼ねる溝によって形成してなることを特徴とする請求項１に記載の矩形パネル起立積載用パレットとしたものである。
【０００８】
請求項３に記載の発明は，同じく上記に加えて，突当面の遊嵌受入部は矩形パネルの起立した辺を遊嵌受入すれば足りることから，該遊嵌受入部を突当面上下方向に複数箇所の部分受座形成のものするように，これを，上記突当面の遊嵌受入部を，矩形パネルの起立した辺を保持する該辺の長手方向複数箇所の部分受座によって形成してなることを特徴とする請求項１又は２に記載の矩形パネル起立積載用パレットとしたものである。
【０００９】
請求項４に記載の発明は，同じく上記に加えて，Ｌ字２面に積載した矩形パネルを突当面側に押圧すれば，該矩形パネルの突当面側先端をスライドバーのスライド方向に合せて自ずと変位するようにして矩形パネルの圧着挟持を容易になし得るものとするように，これを，上記部分受座によって形成した突当面の遊嵌受入部が，上記スライドバーのスライド方向と同一方向に部分受座を傾斜狭小化するように受入傾斜面を備えてなることを特徴とする請求項３に記載の矩形パネル起立積載用パレットとしたものである。
【００１０】
請求項５に記載の発明は，同じく上記に加えて，Ｌ字２面における矩形パネルの圧着挟持を固定状態に維持して搬送時の揺動可能性を解消し得るものとするように，これを，上記スライドバーを，そのスライド方向任意位置でロック自在としてなることを特徴とする請求項１，２，３又は４に記載の矩形パネル起立積載用パレットとしたものである。
【発明の効果】
【００１１】
本発明は以上のとおりに構成したから，請求項１に記載の発明は，載置面と突当面のＬ字２面に多数並列配置した遊嵌受入部によって矩形パネルを遊嵌受入し，該遊嵌受入部を横断するように配置したスライドバーをその横断方向にスライドして矩形パネルを遊嵌受入部の片側に圧着挟持するようにすることによって，同時多数の積載をなし得るように上記Ｌ字２面に対する矩形パネルの起立積載を維持しつつ，可及的簡易に起立積載した矩形パネルを確実に保持してその揺動を防止し得るようにした矩形パネル起立積載用パレットを提供することができる。
【００１２】
請求項２に記載の発明は，上記に加えて，該遊嵌受入部を積載ガイドを兼ねる溝形成のものとし，例えば矩形パネルを載置面から突当面に向けて押圧してスライドすることにより該矩形パネルをＬ字２面に容易且つ確実に積載し得るものとすることができる。
【００１３】
請求項３に記載の発明は，同じく上記に加えて，突当面の遊嵌受入部を突当面上下方向に複数部分的な凹部形成のものとして，突当面の遊嵌受入部によって矩形パネルの起立した辺を遊嵌受入するものとすることができる。
【００１４】
請求項４に記載の発明は，同じく上記に加えて，Ｌ字２面に積載した矩形パネルを突当面側に押圧すれば，該矩形パネルの突当面側先端をスライドバーのスライド方向に合せて自ずと変位するようにして矩形パネルの圧着挟持を容易になし得るものとすることができる。
【００１５】
請求項５に記載の発明は，同じく上記に加えて，Ｌ字２面における矩形パネルの圧着挟持を固定状態に維持して搬送時の揺動可能性を解消するものとすることができる。
【発明を実施するための最良の形態】
【００１６】
以下図面の例に従って本発明を更に具体的に説明すれば，１は，本例にあって矩形パネルをペアガラス７とし，該ペアガラス７を多数起立積載して，例えば建築現場に搬送するに用いるペアガラス起立積載用パレットであり，該パレット１は，載置面３と突当面４のＬ字２面にペアガラス７の隣接する２辺を遊嵌受入自在として面内に多数並列配置した所定幅の遊嵌受入部３２と，上記載置面  と３突当面４の一方又は双方に上記遊嵌受入部３２を横断し該横断方向にスライド自在に介設するとともに上記遊嵌受入部３２に対応した並列数と所定幅の受入部５２を有するスライドバー５とを備え，該スライドバー５のスライドによってその受入部５２の起立壁が上記遊嵌受入部３２に遊嵌受入したペアガラス７の辺をスライド方向に押圧することにより該遊嵌受入部３２の幅内片側に対するペアガラス７の圧着挟持を自在としたものとしてある。
【００１７】
本例にあってパレット１は，例えば起立脚を介して矩形フレームを上下２層に配置し，矩形フレーム  間の正面にリフトの昇降爪を挿入自在とした鋼製パレット基台２に上記載置面３と突当面４とをＬ字状をなすように載置固定したものとしてあり，このとき載置面３は該パレット基台２に鋼製矩形フレームとこれを覆うように載置固定した，例えば木製合板による載置板とによって形成し，また突当面４は上記パレット基台２に起立固定した矩形フレームによって形成したものとしてあり，本例にあって載置面３は，これを，例えば正面側を高く，突当面４側を低くするように，正面側から背面側に突当面に向けて下降傾斜してその載置固定を行う一方，突当面４を該載置面３と直交するように背面側に倒すように傾斜してその起立固定を行うことによって，これら載置面３と突当面４とを傾斜したＬ字２面としてある。本例の該傾斜は，例えば数度としてあり，これによって載置面３に対してペアガラス７を押圧すれば，これによって該ぺアガラス７が上記遊嵌受入部３２，本例にあっては次述のスライド載置用ガイドを兼ねる溝に沿ってスライドしてその載置面３へ容易に載置をなし得るようにしてある。
【００１８】
本例にあって上記載置面３の遊嵌受入部３２は，これを，ペアガラス７のスライド積載用ガイドを兼ねる溝によって形成したものとし，また上記突当面４の遊嵌受入部４２は，これを，ペアガラス７の起立した辺を保持する該辺の長手方向複数箇所の部分受座によって形成したものとしてある。
【００１９】
本例のパレット１における載置面３の遊嵌受入部３２は，例えばＣ字チャンネル材又はＬ字チャンネル材，本例にあっては傷防止の塗膜層を形成するとともにその内側にクッション材３３を固定配置したＬ字チャンネル材を上記載置面３に多数並列固定してこれを形成してあり，該チャンネル材の並列固定は，その底面から載置面３をなす上記載置板に対して密に並列してネジ３４止めすることによって，該Ｌ字チャンネル材の各起立壁が上向き開口の溝を画して該溝形成による遊嵌受入部３２を形成するものとしてあり，本例にあって該遊嵌受入部３２の並列数は，傾斜したＬ字２面の幅方向，即ち載置面の正面を基準とした幅方向に例えば２０条前後，本例では１８条を配置したものとしてある。このとき該各チャンネル材は，載置面３の正面側を，例えば積載時の足掛けスペース３１として開放し，該正面から突当面３の奥行方向中間位置から突当面４に至るようにその並列固定を行うとともに該各チャンネル材は，これを，例えばその長手方向に正面側を長く，突当面側を短く形成した２分割のものを使用することによってこれらの端部間に，後述のスライドバー５設置用の空隙を配置してある。
【００２０】
一方突当面４の遊嵌受入部４２は，本例にあって上記矩形フレームによる突当面４又はこれに架設した水平枠に，例えば部分受座を，例えば複数個，本例にあっては３乃至５個程度水平方向に並列配置した連結受座部材４１を添設固定することによってこれを形成してあり，このとき本例にあって該部分受座によって形成した突当面４の遊嵌受入部４２は，これが，上記スライドバー５のスライド方向と同一方向に部分受座を傾斜狭小化するように受入傾斜面４３を備えたものとしてある。
【００２１】
即ち本例の連結受座部材４１は，例えば合成樹脂の射出成形によって複数個の部分受座を幅方向に一体成形した，例えば一方の片側を傾斜面，他方の片側を奥行方向に垂直面とし，これら傾斜面と垂直面を連結する底面とによる凹陥部によって上記複数個の部分受座を連結して一体に形成したものとしてあり，該連結受座部材４１は，これをその端部同士を対接して上記水平枠に幅方向に直列に，例えばその底面を水平枠にネジ４４止めすることによってその水平枠への設置を行ってあり，このとき該水平枠と連結受座部材４１は，突当面４の上下に複数列，本例にあっては５列を平行且つ離隔して設置し，上記ペアガラス７の辺を該複数列の連結受座部材４１における部分受座の遊嵌受入部４２に遊嵌受入するものとしてある。
【００２２】
本例にあって遊嵌受入部３２，４２は，載置面３の溝形成のものはその溝幅を，突当面４の受入傾斜面４３を有する受座形成のものはその開口幅を，最大厚さのペアガラス７の厚さ幅に図示省略のガスケット厚さを加えた幅を遊嵌して受け入れるように，例えば４ｃｍ程度としてあり，これによって上記溝形成の遊嵌受入部３２は，これがペアガラス７の辺を受入れた際に該ペアガラス７が遊嵌状態となるようにし，また傾斜面を有する受座形成の遊嵌受入部４２は，受入傾斜面４３に沿って垂直面側に押圧されるように入り込んでペアガラス７が同じく遊嵌状態となるようにしてある。
【００２３】
スライドバー５は，本例にあって載置面３と突当面４の双方に配置してあり，載置面３において上記２分割したチャンネル材間の空隙に，突当面４において離隔設置した連結受座部材４１間にそれぞれスライド自在に配置することによって載置面３と突当面４の各遊嵌受入部３２，４２を横断して該スライドバー５を介設してある。スライドバー５は，上記載置面３及び突当面４の遊嵌受入部３２，４２の底面から突出しないようにして，該遊嵌受入部３２，４２によるペアガラス７の受入を阻害しないように形成した基材５１に上記遊嵌受入部３２，４２の数と幅に対応した短尺の受入部５２を配置したものとしてあり，本例にあって該受入部５２は，上記載置面３と同様の塗膜層を形成し且つ内側にクッション材５４を配置固定したチャンネル材による短尺のピース部材を基材５１に同様にネジ５５止めすることによってその各起立壁が上向き開口の短尺溝を形成するように設置してある。
【００２４】
このとき載置面３における上記遊嵌受入部３２のチャンネル材を２分割して配置した上記スライドバー５設置用空隙の幅方向両端及び突当面４における連結受座部材４１間の矩形フレーム幅方向両端にそれぞれスライドバー５の端部をスライド自在に受入れるＣ字状ガイド部材５３を設置してあり，該ガイド部材５３によって該ガイド部材５３にスライダー５の受入部５２が当たるまでの幅でスライドバー５をスライド自在に案内するとともに受入部５２が当たることによってスライドバー５の脱落防止を行うようにしてある。
【００２５】
また本例にあって該スライドバー５は，これを，そのスライド方向任意位置でロック自在としたものとしてあり，本例にあって該ロックは，上記載置面３及び突当面５の矩形フレームにおけるスライドバー５長手方向一端に設置したロック装置を用い，その操作によってロックとロック解除を行うようにしてあり，本例のロック装置は，例えばレバーハンドル６４の操作によってスライドバー５を上記載置面３及び突当面４の矩形フレームに押圧支持するクランプ装置６によるものとしてある。即ち該クランプ装置６は，載置面３又は突当面４に固定したクランプベース６１と，該クランプベース６１に回動自在に軸支固定してスライドバー５に対して直列となることによって該スライドバー５の端部に位置する受入部５２の起立片を押圧して保持自在とし且つ突出長さを調整自在としたボルトによる圧接具６３を先端に有するヘッド６２と，該ヘッド６２の上記クランプベース６１軸支固定位置に先端を軸支固定したレバーハンドル６４と，該レバーハンドル６４の該ヘッド６２との軸支固定位置と直列となってレバーハンドル６４をロックするように，その一端を該レバーハンドル６４に軸支固定し他端を上記クランプベース６１に軸支固定したハンドルロック用のリンクプレート６５とを備えたものとしてある。従って本例のクランプ装置６にあっては，圧接具６３の突出長さを調整した後にレバーハンドル６４を操作し，該レバーハンドル６４を載置面３又は突当面４に対して引き離すように傾斜してロック位置に回動すると，該レバーハンドル６４がクランプベース６１の軸支点を中心としてヘッド６２を載置面３又は突当面４側に向けて回動し，上記圧接具６３がスライドバー５を押圧するとともにリンクプレート６５が上記ヘッド６２の軸支固定位置と直列となって該スライドバー５をロックし，またレバーハンドル６４を載置面３又は突当面４に向けてこれと平行とするように解除位置に回動して復帰すると，逆の動作によってリンクプレート６５の直列が外れてヘッド６２が回動しその圧接具６３が傾斜してスライドバー５から離れることによってスライドバー５のロックを解除し，スライドバー５をスライドし得るようにしてある。
【００２６】
以上のように形成したパレット１にあっては，例えば上記載置面の足掛けスペース３１に片足を乗せながら，各ペアガラス７を載置面３の遊嵌受入部３２に挿入するようにすれば，該遊嵌受入部３２の，本例にあってその上向き開口の溝による案内によってペアガラス７はその奥行方向に進行し，先端が突当面４の遊嵌受入部４２に至り，その受入傾斜面４３の案内によって遊嵌受入部４２の片側に変位した状態となって載置面３と突当面４のＬ字２面に仮保持される。例えば建築現場に応じて必要数のペアガラス７を仮に積載した後にスライドバー５をスライドすれば，遊嵌受入部３２，４２に横断して介設したスライドバー５，特にその受入部５２の起立壁がペアガラス７を押圧乃至引寄してペアガラス７を遊嵌受入部３２，４２の片側に圧着挟持して，該Ｌ字２面のペアガラス７を確実に保持してその揺動を防止し得るようになるので，上記クランプ装置６を操作してスライドバー５をロックすればペアガラス７の保持が固定されて搬送に適したものとすることができる。また搬送後に，例えば建築現場でペアガラス７を下ろすには，逆にクランプ装置６を操作してロックを解除し，スライドバー５を復帰方向にスライドしてペアガラス７を仮保持の状態とし，同様に足掛けスペース３１に片足を乗せて各ペアガラス７を引き抜くように取り出すようにすればよい。
【００２７】
このときスライドバー５は遊嵌受入部３２，４２を横断し該横断方向にスライド自在としたことによって，Ｌ字２面に対するペアガラスの同時多数の起立積載を行いながら，その積載作業を可及的容易且つ確実に行うことができ，このとき載置面３の遊嵌受入部４２及びスライドバー５は，該遊嵌受入部４２及び受入部５２を形成するＬ字チャンネル材の内側にクッション材３３，５４を配置固定したことによって，それぞれその対向面にクッション材３３，５４を備えているから，該クッション材３３，５４が該ペアガラス７の厚さの相違を吸収して該クッション材３３，５４を介したペアガラス７の圧接挟持を行うことが可能となり，従ってパレット１は該厚さの異なるペアガラス７の積載に際してもその確実な保持を行うことができる。なおペアガラスと板ガラスとを同時に積載するように，厚さの相違をクッション材によって吸収できないとき，ダンボール等をスペーサーとして追加的に使用すれば，更に厚さの相違が大きい場合にも対応することができる。また上記載置面３と突当面４とを傾斜したＬ字２面としたことによって搬送時の振動等によって積載したペアガラス７が奥行方向前後に移動するのを防止して安定した積載を行うことができるとともに積載時に傾斜した載置面３を利用してペアガラス７の積載を容易化することができ，遊嵌受入部３２，４２を２０条程度配置したことによって，一般に住宅の建築現場で使用するペアガラスは３０〜４０枚程度であるから，パレット１を２基使用することによって一棟分のペアガラス７を同時に搬送することができ，突当面４の遊嵌受入部４２に受入傾斜面４３を配置したことによって，ペアガラス７の積載時に該ペアガラス７をスライドバー５のスライド方向に合せて自ずと変位するようにしてペアガラス７の圧着挟持を容易に行うことができ，またスライドバー５をロック自在としたことによって，Ｌ字２面におけるペアガラス７の圧着挟持を固定状態に維持して搬送時の揺動可能性を解消することができる。
【００２８】
図中４５は，突当面４に上記連結受座部材４１とともにその下方の一部に配置した載置面３と同様に形成した遊嵌受入部，４６は突当面４をパレット基台２上に傾斜して起立固定したことによってその背面側に配置した突当面４支持用の支持枠を示す。
【００２９】
図示した例は以上のとおりとしたが，上記載置面と突当面の一方に上記遊嵌受入部を横断し該横断方向にスライドバーをスライド自在に介設し，該載置面と突当面の一方で矩形パネルの圧着挟持を行うようにすること，載置面と突当面の双方にスライドバーを介設するとき，載置面とともに突当面の遊嵌受入部を溝形成のものとすること，載置面と突当面によるL字２面を載置面を水平，突当面を垂直のものとすること，多数並列配置の遊嵌受入部を，例えば一体成形したアルミや合成樹脂の押出材によって形成して載置面及び／又は突当面に設置すること，スライドバーを幅広のものとし，また上記と同様に多数の受入部を有して一体成形したアルミや合成樹脂の押出材によって形成すること，ロック装置を，例えば回転ハンドルによって作動するラックピニオンを用いてスライドバーの進退を行うとともにその移動を阻止する構成とし，回転ハンドルによって回転するスクリューにスライドバーのナットを螺装してスクリューの回転によってスライドバーの進退を行うとともにその移動を阻止する構成とし，また載置面，突当面に配置した所定ピッチの係止孔と該係止孔に差込挿入するピンとによってスライドバーの移動を阻止する構成とすること，矩形パネルをガラス板，建築用パネル等ペアガラス以外のものとすること等を含めて，本発明に実施に当って，載置面，突当面，遊嵌受入部，スライドバー，受入部，形パネル，必要に応じて用いるスライド積載用ガイドを兼ねる溝による遊嵌受入部，部分受座，ロック装置等の各具体的材質，構造，形状，これらの関係，これらに対する付加等は，上記発明の要旨に反しない限り様々の形態のものとすることができる。
【図面の簡単な説明】
【００３０】
【図１】パレットの側面図である。
【図２】図１の部分拡大図である。
【図３】パレットの正面図である。
【図４】パレットの平面図である。
【図５】遊嵌受入部とスライドバーの関係を示す拡大平面図である。
【図６】図５のスライドバーをスライドした状態の拡大平面図である。
【図７】図５の縦断面図である。
【図８】図６の縦断面図である。
【図９】部分受座の斜視図である。
【図１０】遊嵌受入部と受入部によるペアガラスの圧着挟持のモデルを示す平面図である。
【図１１】載置面に設置したクランプ装置の平面図である。
【符号の説明】
【００３１】
１  パレット
２  パレット基台
３  載置面
３１  足掛けスペー
３２  遊嵌受入部
３３  クッション材
３４  ネジ
４  突当面
４１  連結受座部材
４２  遊嵌受入部
４３  受入傾斜面
４４  ネジ
４５  支持枠
５  スライドバー
５１  基材
５２  受入部
５３  ガイド部材
５４  クッション材
５５  ネジ
６  クランプ装置
６１  クランプベース
６２  ヘッド
６３  圧接具
６４  レバーハンドル
６５  リンクプレート
７  ペアガラス
【図１】
2007069916.tif 000003
【図２】
2007069916.tif 000004
【図３】
2007069916.tif 000005
【図４】
2007069916.tif 000006
【図５】
2007069916.tif 000007
【図６】
2007069916.tif 000008
【図７】
2007069916.tif 000009
【図８】
2007069916.tif 000010
【図９】
2007069916.tif 000011
【図１０】
2007069916.tif 000012
【図１１】
2007069916.tif 000013